(57)【要約】      （修正有）【課題】加熱具が電極モジュールの表面より僅かに突き出すことにより、肌に密着して加熱を充分に伝導し、疼痛緩和を達成する一片式電気刺激装置を提供する。【解決手段】電気刺激装置は、両側にフラップをそれぞれ形成する本体シート１１と、フラップに設ける電極モジュール１２と、底部ケーシング２１と表蓋ケーシング２２とを含み、底部ケーシングを本体シートに設け、表蓋ケーシングを底部ケーシングの上に被せるように設け、表蓋ケーシングに貫通穴を設け、貫通穴の表面が電極モジュールの表面に突き出し、表蓋ケーシングに弾性伝導子２４を設け、伝導子が弾性ブッシング２４２を有し、弾性ブッシングが対応して、貫通穴より突き出すケーシング装置と、底部ケーシングに内設し、電極モジュールと電気導通する制御装置３０と、弾性ブッシングに内設して、制御装置と電気導通する加熱具４０とを備える。【選択図】図３
0003227463.tif 000002
【実用新案登録請求の範囲】
【請求項１】
両側にそれぞれ少なくとも一つのフラップを形成する本体シートと、
前記本体シートの中間区域に設けられ、貫通穴を開ける表蓋ケーシングを有し、前記表蓋ケーシングに弾性伝導子を内設し、前記貫通穴をくぐって突き出すケーシング装置と、
電気回路板を有し、前記ケーシング装置に内設する制御装置と、
前記フラップに取り付けていて、前記電気回路板に電気導通し、少なくとも一対の電極パッチを有する電極モジュールと、
前記伝導子に内設し、前記電気回路板と電気導通し、前記電極モジュールの表面より僅かに突き出す加熱具と、を備え、
前記伝導子の弾性働きによって、前記加熱具が前記電極モジュールの表面より僅かに突き出すことによって、肌に密着して、充分な伝導加熱効果と疼痛緩和の目的を達成する
ことを特徴とする電気刺激装置。
【請求項２】
前記電気回路板が熱感知素子と電気導通し、前記熱感知素子が前記加熱具の適切な稼働温度を感知する
ことを特徴とする請求項１記載の電気刺激装置。
【請求項３】
前記伝導子に前記貫通穴をくぐって突き出す弾性ブッシングを有し、前記弾性ブッシングが前記加熱具の収納及び固定に用いられ、前記弾性ブッシングにブッシング表面を有し、前記ブッシング表面が前記電極モジュールの平面より突き出す
ことを特徴とする請求項１記載の電気刺激装置。
【請求項４】
前記ケーシング装置は、前記表蓋ケーシングと相互に係着して結合する底部ケーシングを有し、前記本体シートの中間区域が前記底部ケーシングを取り付けるケーシング収納部を有する
ことを特徴とする請求項１記載の電気刺激装置。
【請求項５】
前記本体シートに前記電極モジュールを取り付けるための電極載置シートを設ける
ことを特徴とする請求項１記載の電気刺激装置。
【請求項６】
前記底部ケーシングと、前記表蓋ケーシングとを互いに係着するための係着機構を設ける
ことを特徴とする請求項４記載の電気刺激装置。
【請求項７】
前記電極載置シートの中間区域が前記電気回路板を突き出すため、前記電気回路板の対応場所に貫通区域を設ける
ことを特徴とする請求項５記載の電気刺激装置。
【請求項８】
前記ケーシング収納部の一端に穿設口を設け、前記ケーシング装置の側部に電気コネクタを設け、前記電気コネクタが前記電気回路板と電気導通し、前記電気コネクタが前記穿設口に位置する
ことを特徴とする請求項４記載の電気刺激装置。
【考案の詳細な説明】
【技術分野】
【０００１】
本考案は電気刺激装置に関し、特に加熱具の加熱効果を充分に伝導し、疼痛緩和目的を達成できる電気刺激装置の加熱構成の改良構造に関する。
【背景技術】
【０００２】
電気刺激装置は現在良く使われている保健、治療補助の電子器材であり、電気刺激または電子パルス方式をもって、筋肉を収縮、運動させる物理効果を利用し、治療や各種疼痛の緩和等によく使用されている。この類の電気刺激装置が密波、希薄波、吸込み波、のこぎり波と、不連続波等の波形を発生して、疼痛緩和の治療効果を有するため、日常生活でのケア、予防または治療等の便利な使用ができ、多く人々の好評が得られている。
【０００３】
さらに、この種の電気刺激装置の絶え間なく開発研究につれて、加熱具と結合して使用の電気刺激装置が考案され、使用範囲がますます実用的となり、効果もより浮き彫りされている。公知加熱機能を有する電気刺激装置の技術は図１、図１Ａに示すとおり、電気刺激装置９０は貼り付けパッチ体９１を有し、前記貼り付けパッチ体９１に制御ユニット９２を有し、前記制御ユニット９２に電気供給するためのバッテリーを内設し、前記制御ユニット９２が両側の電極モジュール９３に電気接続しており、前記制御ユニット９２の下方位置に加熱具９４と電気導通し、前記制御ユニット加熱具９４の下方位置に貼り付けフィルム９５が覆われている。係る加熱機能を有する電気刺激装置９０を使用する際、制御ユニット９２より電極モジュール９３操作制御することによって、肌に流れる電流を生成し、電気刺激または低周波等などを発生して、治療効果を達成する。係る加熱具９４を加熱治療対象の肌に貼り付けて、制御ユニット９２より操作制御し、加熱具９４に発熱させて使用する。
【考案の概要】
【考案が解決しようとする課題】
【０００４】
前述公知加熱機能を有する電気刺激装置９０の技術は、加熱具９４によって、肌を加熱し使用効果を有するものの、なお欠点が存在している。一例として、公知加熱機能を有する電気刺激装置９０の加熱具９４に貼り付けフィルム９５を貼り付けているが、肌は常に収縮または突起して変動する。特に、使用者が行動、活動する生活態様の場合はなおさらである。そのため、加熱具９４（貼り付けフィルム９５）を常に肌と緊密に貼り付ける状態の維持が難しく、加熱の使用効果が大きく低下してしまい、理想な設計と言えない。
【課題を解決するための手段】
【０００５】
本考案の目的は、加熱具が弾性の僅かに突き出した伝導子を介して熱伝導するとともに、係る熱伝導子の突起部が肌にぴったり貼り付けて、充分な熱伝導及び疼痛緩和の目的を達成する。
【０００６】
本考案が前述目的を達成するための技術手段として、両側にフラップをそれぞれ形成する本体シートと、フラップに設ける電極モジュールと、底部ケーシングと表蓋ケーシングとを含む、底部ケーシングを本体シートに設け、表蓋ケーシングを底部ケーシングの上に被せるように設け、表蓋ケーシングに貫通穴を設け、貫通穴の表面が電極モジュールの表面に突き出し、表蓋ケーシングに弾性伝導子を設け、伝導子が弾性ブッシングを有し、弾性ブッシングが対応して、貫通穴より突き出すケーシング装置と、底部ケーシングに内設し、電極モジュールと電気導通する制御装置と、弾性ブッシングに内設して、制御装置と電気導通する加熱具とを備える。これにより、加熱具が電極モジュールの表面より僅かに突き出すことによって、肌に密着することができ、加熱を充分に伝導して、疼痛緩和の目的を達成する。
【０００７】
前述構成において、電気回路板が熱感知素子と電気導通し、熱感知素子が加熱具の適切な稼働温度を感知することができる。
【０００８】
前述構成において、伝導子に貫通穴をくぐって突き出す弾性ブッシングを有し、弾性ブッシングは加熱具の収納及び固定に用いられ、弾性ブッシングにブッシング表面を有し、ブッシング表面が電極モジュールの表面より突き出されている。
【０００９】
ケーシング装置は、表蓋ケーシングと係着して結合する底部ケーシングを有し、本体シートの中間区域に底部ケーシングを取り付けるケーシング収納部を有する。
【００１０】
前述構成において、本体シートに電極モジュールを取り付けるための電極載置シートを設けられている。
【００１１】
底部ケーシングと、表蓋ケーシングとの間は、互いに係着するための係着機構を設けられている。
【００１２】
前述構成において、伝導子が弾性ブッシングの他端に周縁面を設けられ、周縁面を表蓋ケーシングの内部に貼り付けられている。
【００１３】
前述構成において、電極載置シートの中間区域が電気回路板を突き出すため、電気回路板の対応場所に貫通区域を設ける。
【００１４】
前述構成において、電気回路板に絶縁パッドを設けられ、加熱具を絶縁パッドに設ける。
【００１５】
前述構成において、底部ケーシングに少なくとも一つの押しボタンを有し、押しボタンが制御装置に接続し、押しボタンがケーシング収納部より突き出されている。
【００１６】
前述構成において、電極パッチに不導電部材を設置する区域に複数の絶縁貫通穴が布設されている。
【００１７】
前述構成において、ケーシング収納部の一端に穿設口を設け、ケーシング装置の側部に電気コネクタを設け、電気コネクタが電気回路板と電気導通し、電気コネクタが穿設口に位置する。
【００１８】
審査官が本考案の技術特徴及び達成する効果にさらなる理解及び認識を図るため、好ましい実施態様図と合わせて、次のとおり詳細説明する。
【図面の簡単な説明】
【００１９】
【図１】公知電気刺激装置の構造を示す図である。
【図１Ａ】公知電気刺激装置の構造を示す図である。
【図２】本考案の立体構造を示す図である。
【図３】本考案の構造分解を示す図で分解ある。
【図４】本考案の見下ろし概略図である。
【図５】本考案の断面視図である。
【図６】本考案の応用図である。
【考案を実施するための形態】
【実施例】
【００２０】
図２、図３、本考案の一片式電気刺激装置の加熱構造は、電気刺激装置１が刺激装置本体１０と、ケーシング装置２０と、制御装置３０と、加熱具４０とを備える。刺激装置本体１０が本体シート１１を有し、本体シート１１はより良い可撓性と快適性シリコン部材によって仕上げることができ、ただし、この限りではない。本体シート１１の２つの外側にそれぞれ少なくとも一つのフラップ１１１が形成されており、この実施例において、フラップ１１１が２つを実施しており、それぞれ本体シート１１の中間区域の両側に位置し、本体シート１１（フラップ１１１）が貼付け面１１２と、外面１１３とを有し、フラップ１１１の貼付け面１１２に電極載置シート１３を設け、電極載置シート１３に電極モジュール１２を設ける。すなわち、電極載置シート１３が電極モジュール１２と、フラップ１１１との間に設けられ、電極載置シート１３は絶縁シート体構造を形成し、電極モジュール１２は少なくとも一対の電極パッチ１２１を有する。
【００２１】
この実施例において、本体シート１１の中間区域が外面１１３方向に向かって、ケーシング収納部１１０を凸設し、ケーシング収納部１１０に収納空間１１５を内設して、ケーシング装置２０を収納する。ケーシング収納部１１０の一端に穿設口１１４を設ける。電極載置シート１３を本体シート１１に取り付けた後、電極載置シート１３が中間区域に貫通区域１３０を設けられ、貫通区域１３０は例えば不規則な溝状を形成して、制御装置３０の一部区域を突き出す。電極パッチ１２１は電極載置シート１３にて導電部材（例えば、銀ペースト等）を塗布して形成するが、この限りではない。電極パッチ１２１に複数の絶縁貫通穴１２２を布設し、絶縁貫通穴１２２は電極パッチ１２１の不導電部材の設置区域であり、電極パッチ１２１の電流伝導効果を均質化効果に用いられ、電極パッチ１２１が導電回路１２３をさらに接続していて、導電回路１２３が貫通区域１３０方向に向かって延在する。
【００２２】
ケーシング装置２０が底部ケーシング２１と、表蓋ケーシング２２とを含む、底部ケーシング２１を本体シート１１の中間区域（ケーシング収納部１１０）の収納空間１１５に内設し、底部ケーシング２１に垂直状２つのフラップ１１１の接線方向両端の底部ケーシング側壁２１１を設け、表蓋ケーシング２２を底部ケーシング側壁２１の上に蓋締めて、表蓋ケーシング２２に蓋ケーシング上面２２０と、垂直状２つのフラップ１１１の接線方向両端の方向に底部ケーシング側壁２１１を設け、表蓋ケーシング上面２２０に貫通穴２２１を設け、底部ケーシング側壁２１１と、表蓋ケーシング側壁２２２との間に相互に係着し結合する係着機構２３を設ける。一例として、底部ケーシング側壁２１１の両側と、表蓋ケーシング側壁２２２に対応して係着する係着部（番号割り付けていない）を設ける。または、底部ケーシング側壁２１１に内部係着溝を設け、表蓋ケーシング側壁２２２に一対の対応した係着部を儲けて、互いに係着し結合する。ただし、底部ケーシング側壁２１１と、表蓋ケーシング側壁２２２との係着機構２３の係着結合は、一般に凹部と凸部との係着を実施しても良いが、実施する凸凹分布一は、この限りではない。さらに、弾性伝導子２４を有し、伝導子２４は例えば、より良い弾性と、快適性を持つシリコン部材によって仕上げることができる。ただし、この限りではない。伝導子２４に周縁面２４１と、周縁面２４１の内側より突き出す弾性ブッシング２４２とを設け、弾性ブッシング２４２が貫通穴２２１に対応して、伝導子２４を表蓋ケーシング２２に内設するとき、周縁面２４１が表蓋ケーシング２２の内部によって固定して置き、弾性ブッシング２４２を貫通穴２２１より突き出せる。さらに、弾性ブッシング２４２（伝導子２４）が周縁面２４１の他端に対して、ブッシング表面２４３を有し、ブッシング表面２４３が電極モジュール１２（電極パッチ１２１）の平面より突き出すか、または貫通穴２２１の表面が電極モジュール１２（電極パッチ１２１）の表面より突き出す。
【００２３】
制御装置３０を底部ケーシング２１に内設し、制御装置３０が電気回路板３１を有し、電気回路板３１に関連の制御用電子素子を設けて、制御装置３０の電源装置（例えば電池、図示しない）と電気導通し、制御装置３０（電気回路板３１）が導電回路１２３を介して、電極モジュール１２と電気導通し、電気回路板３１が熱感知素子３１１と電気導通する。
【００２４】
一方、絶縁パッド３２が電気回路板３１に設けていて、絶縁パッド３２は接着剤を塗布するか、または両面テープ（図示しない）を貼り付けて、電気回路板３１に接着固定する。
【００２５】
加熱具４０を伝導子２４の弾性ブッシング２４２に内設し、絶縁パッド３２に位置することができる。すなわち、加熱具４０と、電気回路板３１との間が絶縁パッド３２によって仕切られている。加熱具４０に導電ケーブル４１を有し、導電ケーブル４１が電気回路板３１（制御装置３０）と電気導通して、電源と接続して、発熱操作する。
【００２６】
図４と、図５をあわせて参照する。本考案の一片式電気刺激装置の加熱構造を組み立てた後、制御装置３０が底部ケーシング２１の内部に位置し、加熱具４０が伝導子２４（弾性ブッシング２４２）の内部に位置する。さらに、加熱具４０が弾性ブッシング２４２に接触して外部に熱供給するとともに、表蓋ケーシング２２が係着機構２３によって、結合し底部ケーシング２１と係着し、周縁面２４１を表蓋ケーシング２２の内部に貼り付ける。このような設置構成は、加熱具４０が電極パッチ１２１近い距離で肌に貼り付けることができる他、弾性ブッシング２４２を介して、柔軟に調節することができる。さらに、熱感知素子３１１を加熱具４０に対して、適切な稼働温度を完治して、制御装置適３０にフィードバックした上、制御装置３０によって、加熱具４０の温度調節制御できる。一好ましい実施例において、底部ケーシング２１が少なくとも一つの押しボタン２１２を有し、押しボタン２１２が制御装置３０に接続し、押しボタン２１２がケーシング収納部１１０より突き出して、制御装置３０の操作制御ができる。さらに、ケーシング装置２０の側面位置は、電気コネクタ（例えばＵＳＢなど、図示しない）を設けても良い。電気コネクタが電気回路板３１と電気導通し、電気コネクタがケーシング収納部１１０の穿設口１１４に位置する。
【００２７】
図６をあわせて参照する。本考案の加熱構造を適用する際、電気刺激装置１（本体シート１１）の貼付け面１１２を肌１００に貼り付けて、弾性ブッシング２４２を表蓋ケーシング２２に突き出す設計によって、弾性ブッシング２４２を随時に肌１００に密着する状態が維持される。たとえ肌１００の運動、行動によって、肌１００に収縮や突き出す運動があっても、貼り付け接触状態を維持できるため、弾性ブッシング２４２（伝導子２４）内部の加熱具４０も加熱を安定に提供し、極めて良い熱供給及び疼痛緩和の効果を有する。
【００２８】
以上の具体的な実施例を用いて本考案を詳細説明しているが、本考案は、以上に取り上げた実施例に限らず、本考案の技術構想範囲に基づいて、それらの構造に対する変化および修飾もなお本考案の請求範疇に含めるものとする。
【符号の説明】
【００２９】
１  電気刺激装置
１０  電気刺激装置本体
１１  本体シート
１１０  ケーシング部
１１１  シート体
１１２  貼付け面
１１３  表面
１１４  穿設口
１１５  収納空間
１２  電極モジュール
１２１  電極シート
１２２  絶縁貫通穴
１２３  導電回路
１３  電極載置シート
１３０  貫通エリア
２０  ケーシング装置
２１  底部ケーシング
２１１  底部ケーシング側壁
２１２  押しボタン
２２  表蓋ケーシング
２２０  蓋ケーシング上面
２２１  とおり溝
２２２  蓋ケーシング側壁
２２３  係着部
２３  係着機構
２４  伝導子
２４１  周縁面
２４２  弾性ブッシング
２４３  ブッシング表面
３０  制御装置
３１  電気回路板
３１１  熱感知素子
３２  絶縁パッド
４０  加熱具
４１  導電ケーブル
１００  肌
【図１】
0003227463.tif 000003
【図１Ａ】
0003227463.tif 000004
【図２】
0003227463.tif 000005
【図３】
0003227463.tif 000006
【図４】
0003227463.tif 000007
【図５】
0003227463.tif 000008
【図６】
0003227463.tif 000009